(57)【特許請求の範囲】
【請求項１】
集合住宅、ビルなどに設置され、ペア線として構成された通話線、映像線、信号線を接続し、送り配線するためにテレビインターホンシステムに使用される分岐器であって、
その本体部には、
通話線、映像線、信号線を入力する入力端子ブロックと、
通話線、映像線、信号線を送り配線するための出力端子ブロックと、
上記本体部に内蔵された減衰回路に接続され、上記入力端子ブロックより入力された通話線、映像線、信号線を減衰回路を通じて、テレビモニタに接続するために複数宛設けられた分岐端子ブロックと、
上記減衰回路の出力端子間に、接点を介して接続されたダミー終端器と、
この接点を閉じるためのダミー抵抗スイッチとを備え、
上記ダミースイッチを、上記出力端子ブロックが外部に表出する面と同一の面に設けたことを特徴とする２線式インターホン用分岐器。
【請求項２】
請求項１において、
上記入力端子ブロック、上記出力端子ブロック、上記分岐端子ブロックの配列を共通化した構造とし、使用しない端子ブロックを覆い隠す盲板を更に備えている２線式テレビインターホン用分岐器。
【発明の詳細な説明】
【０００１】
【産業上の利用分野】
この発明は、たとえば、集合住宅、ビルなどに設置され、ペア線として構成された通話線、映像線、信号線を接続し、送り配線するためにテレビインターホンシステムに使用される２線式テレビインターホン用分岐器に関するものである。
【０００２】
【従来の技術】
従来、集合住宅、ビルなどに設置され、ペア線として構成された通話線、映像線、信号線を接続し、送り配線するためにテレビインターホンシステムに使用される２線式テレビインターホン分岐器では、一部の出力端子及び分岐端子が使用されずに空きの状態となる場合がある。このように、使用されず、空きの状態となった分岐端子間には、その施工時に、たとえば、Ｆ型接栓用ダミー抵抗（７５Ω）を接続して終端処理している。また、上記分岐器（１分岐器と２分岐器がある）では、その端子配列が各々、異なるので、施工に必要な数の分岐器をあらかじめ、用意して施工に当たっていた。
【０００３】
【発明が解決しようとする課題】
しかしながら、上記した２線式テレビインターホン分岐器の施工に際し、使用されない空きの状態の分岐端子にＦ型接栓用ダミー抵抗（７５Ω）を接続する終端処理は、該ダミー抵抗をはんだ付けしなければならず、このはんだ付け作業により、施工全体における作業能率を著しく低くしていた。また、分岐器の数を誤って用意した場合、不足するこれらの機器を迅速に用意するのは実際上難しく、端子配列が各々、相違することから、施工現場で端子配列を直ちに変えて、１分岐器から２分岐器へ変更、逆に、２分岐器から１分岐器へ変更等を行うことは事実上不可能であった。
この発明は、上記の点に鑑みて成されたものであって、分岐端子等の端子類が空きの状態になる場合における終端処理をワンタッチで行え、かつ１分岐器、２分岐器の間で迅速に端子配列を変更することができる２線式テレビインターホン分岐器を提供することを目的としている。
【０００４】
【課題を解決するための手段】
上記した目的を達成するため、請求項１の発明は、集合住宅、ビルなどに設置され、ペア線として構成された通話線、映像線、信号線を接続し、送り配線するためにテレビインターホンシステムに使用される分岐器であって、その本体部には、通話線、映像線、信号線を入力する入力端子ブロックと、通話線、映像線、信号線を送り配線するための出力端子ブロックと、上記本体部に内蔵された減衰回路に接続され、上記入力端子ブロックより入力された通話線、映像線、信号線を減衰回路を通じて、テレビモニタに接続するために複数宛設けられた分岐端子ブロックと、上記減衰回路の出力端子間に、接点を介して接続されたダミー終端器と、この接点を閉じるためのダミー抵抗スイッチとを備え、上記ダミースイッチを上記出力端子ブロックが外部に表出する面と同一の面に設けたことを特徴としている。
【０００５】
請求項２の発明は、集合住宅、ビルなどに設置され、ペア線として構成された通話線、映像線、信号線を接続し、送り配線するためにテレビインターホンシステムに使用される２線式テレビインターホン用分岐器であって、使用されない端子ブロックを盲板で覆うことによって、１分岐器もしくは２分岐器として使い分けできるように、盲板で覆う前の端子ブロックの配列を共通化した構造としたことを特徴としている。
【０００６】
【作用】
上記のように構成される請求項１の発明では、減衰回路の出力端子間に、接点を介してダミー終端器を接続し、かつ、この接点を閉じるためのダミー抵抗スイッチを備えた構成としたので、上記ダミー抵抗スイッチをオンにすることによって、分岐端子ブロックのうち、使用されない空きの状態となった分岐端子には簡単にダミー抵抗を接続することができる。したがって、上記ダミー抵抗スイッチのオン・オフの選択により、使用されない分岐端子の終端処理もしくはモニタ等の他の機器との接続を簡単に選択することができて、その利用度が増大する。しかも、これまでのように、Ｆ型接栓用ダミー抵抗（７５Ω）のはんだ付け作業による終端処理でないので、施工性が格段に向上する。
【０００７】
請求項２の発明では、端子の配列が分岐器用もしくは２分岐器用としてすべて共通化して構成されているので、使用しない端子ブロックを単に盲板で覆うだけで、１分岐器もしくは２分岐器として簡単に使い分けできて使い勝手がきわめて良好となる。
【０００８】
【実施例】
以下、この発明にかかる一実施例を図面により説明する。
（第１実施例）
図１はこの発明に係る２線式テレビインターホン用分岐器に用いられるダミー抵抗スイッチの配置図、図２は同スイッチの回路構成図、図３は同スイッチ接続部分の拡大図、図１０はこの発明に係る２線式テレビインターホン用分岐器の斜視図である。
図１で示すダミー抵抗スイッチＡは、図１０で示すような２線式テレビインターホン用分岐器Ｂに使用される。このダミー抵抗スイッチＡは、図１で示すように、たとえば、符号２で示す終端処理を要する分岐２に近接して設けられ、該スイッチを上下にスライドさせることにより、スイッチのオン・オフを切り換えることができるようになっている。そして、該ダミー抵抗スイッチＡのオン・オフに連動して図２で示すダミー終端器１０の接点が開閉されるようになっている。上記ダミー終端器１０は、図２で示すように、分岐２側に設けた減衰回路８の出力端子間に、接点１０ａを介して接続されており、具体的には、コンデンサＣと抵抗Ｒを接続した図３で示すような回路構成となっている。なお、９は分岐１側の減衰回路である。
【０００９】
上記実施例にかかる２線式テレビインターホン用分岐器では、ダミー抵抗スイッチＡをスイッチオンの状態にすることにより終端処理でき、簡単かつ確実に回路を接続状態にすることができる。
【００１０】
つぎに、出力端子が空きの状態になっている場合における終端処理を、集合住宅における２線式テレビインターホン用分岐器システムへ適用した場合を例にとって説明する。すなわち、図４は１分岐配線で出力端子が空きの状態にある場合を示しているが、この場合、（Ａ）で示すように、１分岐１１ａ、１２ａ、１３ａのうちで、最上階の１分岐器１１ａの出力端子が使用されず、空きの状態にあるので、（Ｂ）で示すように、最上階のモニタテレビ１１ｂとその下の階の１分岐器１２ａの出力端子とを接続できる配線形態とする。これにより、最上階の１分岐器１１ａを省け、部品点数の削減がはかられるという効果がある。なお、１２ｂ，１３ｂはモニタテレビである。
【００１１】
また、２分岐配線で出力端子が空きの場合を例示する図５では、（Ａ）で示すように、最上階の２分岐器１１ａの出力端子は使用されず、空きの状態にあるので、（Ｂ）で示すように、上記出力端子間にダミー終端器を接続し、最上階のモニタテレビ１１ｃと上記出力端子とを接続し、該ダミー抵抗スイッチＡをスイッチオンの状態にすることで、上記出力端子を簡単に終端処理することができる。
【００１２】
さらに、２分岐配線で分岐端子が空きの場合を例示する図６では、（Ａ）で示すように、中間階にある２分岐器１２ａの分岐端子は使用されず、空きの状態にあるので、（Ｂ）で示すように、上記２分岐器１２ａの分岐端子間にダミー終端器を接続し、かつ該ダミー抵抗スイッチＡをスイッチオンの状態にすることで、上記分岐端子を簡単に終端処理することができる。
【００１３】
（第２実施例）
さらに、図７ないし図９は分岐器または分配器として使い分けできる２線式テレビインターホン用分岐器を示しており、図７は１分岐器として使用する場合の端子配列を、図８は２分岐器として使用する場合の端子配列を、図９は２分配器として使用する場合の端子配列をそれぞれ、示している。これらの図面において、１は分岐端子ブロック１、２は分岐端子ブロック２、３は出力端子ブロック、４は入力端子ブロックであり、埋込配線施工の場合には、電線挿通孔２２から導出させた電線（通話線、映像線及び信号線）の心線が上記各端子ブロックの端子に差し込まれるようになっている。なお、この場合の端子は速結端子に構成されているものとする。
【００１４】
ここで、図７に示す端子配列について具体的に説明すると、使用しない端子ブロック（図では、仮想線１４で囲んだ分岐端子ブロック２の部分）を抜き取るか、あるいはそのままの状態で該箇所を盲板１５で完全に覆う。図示しないが、該端子ブロックの分岐端子間にはダミー抵抗スイッチを接続することにより、終端処理し、かつスイッチオンの状態としておくのはいうまでもない。これにより、１分岐器として使用する場合の端子配列を簡単に実現でき、エンドユーザ側は結線ミス等の不手際を起こすことなく、安心して施工することが可能となる。
【００１５】
また、図８について具体的に説明すると、すべての端子ブロックが使用されることになり、使用しない端子ブロックがないので、この場合には、端子ブロックを盲板で覆う必要が全くなく、ダミー抵抗スイッチの接続は不要となる。このように、端子ブロックを盲板で覆ったり、分岐端子間にダミー抵抗スイッチを接続しない場合のものは２分岐器の端子配列となっているので、直ちに、２分岐器として使用することができる。
【００１６】
さらに、図９について説明すると、使用しない端子ブロック（図中、破線１６で囲んだ部分）を抜き取るか、あるいはそのままの状態で該箇所を盲板１５で完全に覆ってしまい、各端子ブロックを２分配器となりうるような配線構成とすることによって簡単に２分配器として使用できるようになる。
【００１７】
上記のように構成した実施例によれば、分岐器の減衰回路の出力端子が空きになる場合に、該端子間をダミー抵抗スイッチを接続し、スイッチオンの状態にしておくという簡単な構成で上記端子の終端処理が行えるので、従来のように、上記端子間にダミー抵抗をはんだ付けするという非効率な作業を行う必要が全くなくなる。また、端子配列を共用化し、かつ不要な端子ブロックのみを盲板で覆うことにより、１分岐器もしくは２分岐器又は２分配器の端子配列を簡単に得ることができ、必要に応じて施工現場で簡単に使い分けできるので、施工性に優れるのみならず、製品の共用化、ひいては標準化が実現でき、製造上の大幅なコストダウンをはかることができる効果がある。
【００１８】
【発明の効果】
以上説明したように、請求項１の発明にかかる２線式テレビインターホン用分岐器によれば、分岐器の減衰回路の出力端子間にダミー終端器を接続し、このダミー終端器の接点を、ダミー抵抗スイッチをスイッチオンとすることにより接続可能とし、空き端子の終端処理を行えるように構成した。このことにより、施工現場で空き端子の終端処理の必要があれば、上記スイッチオンにより直ちに終端処理が行える一方で、終端処理の必要がなく、空き端子にテレビモニタ等を接続する場合には、上記スイッチオフにより直ちに対応できる等、施工現場での臨機応変な対応が可能となる。しかも、上記端子の終端処理は、上述したように、上記スイッチオンによりワンタッチで行え、端子間にＦ型接栓用ダミー抵抗をはんだ付けする必要もないから、施工性を格段に向上させることができるという効果がある。
【００１９】
また、請求項２の発明にかかる２線式テレビインターホン用分岐器によれば、使用しない端子ブロックを盲板で覆うことにより、１分岐器もしくは２分岐器として簡単に使い分けできるように、盲板で覆う前の端子配列をすべて共通化した構造とした。このことにより、一つの分岐器を必要に応じて施工現場で使い分けでき、施工方法の統一化ならびに省施工化をはかることができるという効果がある。そして、上記のように、端子配列がすべて共通化された構造としているので、ハウジングが共通化され、２線式テレビインターホン用分岐器の合理化設計が可能で、製品を標準化できることから、大幅なコストダウンをはかることができるという効果がある。
【図面の簡単な説明】
【図１】この発明に係る２線式テレビインターホン用分岐器に用いるダミー抵抗スイッチの配置図である。
【図２】図１で示す分岐器におけるダミー抵抗スイッチの接続状態を示す回路構成図である。
【図３】図２におけるダミー抵抗スイッチ接続部分の拡大図である。
【図４】１分岐配線における空きの出力端子処理を説明するための図である。
【図５】２分岐配線における空きの出力端子処理を説明するための図である。
【図６】２分岐配線で空きの分岐端子処理を説明するための図である。
【図７】１分岐器の端子配列図である。
【図８】２分岐器の端子配列図である。
【図９】２分配器の端子配列図である。
【図１０】２線式テレビインターホン用分岐器の外観図である。
【符号の説明】
Ａ  ダミー抵抗スイッチ
Ｂ  ２線式テレビインターホン用分岐器
１，２  分岐端子ブロック
３  出力端子ブロック
４，５  入力端子ブロック
１０  ダミー終端器
１０ａ  接点
１５  盲板
【図１】
0003590987.tif 000002
【図２】
0003590987.tif 000003
【図３】
0003590987.tif 000004
【図４】
0003590987.tif 000005
【図５】
0003590987.tif 000006
【図６】
0003590987.tif 000007
【図７】
0003590987.tif 000008
【図８】
0003590987.tif 000009
【図９】
0003590987.tif 000010
【図１０】
0003590987.tif 000011